(57)【要約】体操用運動マシンは、スライドレール３と、スライドレール３に摺動自在に取り付けられたキャリッジ４と、キャリッジ４に取り付けられ、回転軸を中心に空転可能な第１プーリ２１及び第２プーリ２２と、グリップ要素６と、別個の接続端部１７がグリップ要素６にそれぞれ接続された第１ケーブルブランチａ及び第２ケーブルブランチｂを有するケーブル牽引手段１６と、第１ケーブルブランチａ及び第２ケーブルブランチｂが第１プーリ２１及び第２プーリ２２の周りに少なくとも部分的に巻き掛けられ、グリップ要素６と第１プーリ２１及び第２プーリ２２のそれぞれとの間に画定された第１戻りセグメント２３及び一方がキャリッジ４の第１側２５に延びる一方、他方がキャリッジ４の第１側２５とは反対側の第２側２６に延び、且つ、実質的に前記スライドレール３に平行な第２戻りセグメント２４とを含む。【選択図】図２
2019511947.tif 000002
【特許請求の範囲】
【請求項１】
体操運動用マシンであって、
スライドレール（３）と、
前記スライドレール（３）に摺動可能に取り付けられたキャリッジ（４）と、
前記キャリッジ（４）に設けられ、それぞれの回転軸を中心に空転可能な第１プーリ（２１）及び第２プーリ（２２）と、
グリップ要素（６）と、
別個の接続端部（１７）が前記グリップ要素（６）にそれぞれ接続された第１ケーブルブランチ（ａ）及び第２ケーブルブランチ（ｂ）を有するケーブル牽引手段（１６）と、
前記第１ケーブルブランチ（ａ）及び前記第２ケーブルブランチ（ｂ）が前記第１プーリ（２１）及び前記第２プーリ（２２）の周りに少なくとも部分的に巻き掛けられ、前記グリップ要素（６）と前記第１プーリ（２１）及び前記第２プーリ（２２）のそれぞれとの間に画定された第１戻りセグメント（２３）、及び、一方が前記キャリッジ（４）の第１側（２５）に延びる一方、他方が前記キャリッジ（４）の前記第１側（２５）とは反対側の第２側（２６）に延び、且つ、実質的に前記スライドレール（３）に平行な第２戻りセグメント（２４）とを含み、
負荷源（１，２）が前記第２戻りセグメント（２４）に接続されるか、或いは、前記第１ケーブルブランチ（ａ）及び／又は第２ケーブルブランチ（ｂ）が負荷源（１，２）を構成するエラストマー材料で作られ、前記負荷源（１，２）は、使用者（Ｕ）が前記グリップ要素（６）で牽引する間に前記グリップ要素で感じ取る一定の強度及び方向の抵抗力（Ｒ）を生成するように構成されていることを特徴とする体操運動用マシン。
【請求項２】
請求項１に記載のマシンにおいて、
前記負荷源（１，２）は、前記第１ケーブルブランチ（ａ）及び前記第２ケーブルブランチ（ｂ）において、使用者（Ｕ）により加えられる力に抗する力（Ｒ）を生成するのに適した少なくとも１つのモータを備えることを特徴とするマシン。
【請求項３】
請求項１又は２に記載のマシンにおいて、
第１負荷源（１）及び第２負荷源（２）は、第１ケーブルブランチ（ａ）及び第２ケーブルブランチ（ｂ）の各第２戻りセグメント（２４）にそれぞれ関連付けられていることを特徴とするマシン。
【請求項４】
請求項３に記載のマシンにおいて、
前記第１負荷源（１）及び前記第２負荷源（２）は、前記第１ケーブルブランチ（ａ）及び第２ケーブルブランチ（ｂ）において、前記使用者（Ｕ）により加えられる力に抗する力を生成するのに適した第１モータ（３６）及び第２モータ（３７）をそれぞれ備えることを特徴とするマシン。
【請求項５】
請求項４に記載のマシンにおいて、
前記第１モータ（３６）及び前記第２モータ（３７）には、制御指令ユニット（３９）に接続され、前記第１モータ（３６）及び前記第２モータ（３７）の駆動を調整し、前記第１ケーブルブランチ（ａ）と前記第２ケーブルブランチ（ｂ）とに付与される第１力（Ｆ１）及び第２力（Ｆ２）の実体を決定するように構成された制御装置（３８）がそれぞれ設けられていることを特徴とするマシン。
【請求項６】
請求項５に記載のマシンにおいて、
前記制御指令ユニット（３９）に接続され、使用者（Ｕ）が対話により運動の特定の実行モードを指示可能なインターフェース装置（４０）を備え、前記インターフェース装置（４０）によって出力される命令は、前記第１モータ（３６）及び前記第２モータ（３７）の駆動モードを決定するよう構成されていることを特徴とするマシン。
【請求項７】
請求項６に記載のマシンにおいて、
前記インターフェース装置（４０）は、前記グリップ要素（６）に関連付けられていることを特徴とするマシン。
【請求項８】
請求項５から７のいずれか１つのマシンにおいて、
前記制御指令ユニット（３９）は、前記第１ケーブルブランチ（ａ）及び前記第２ケーブルブランチ（ｂ）に作用するそれぞれの応力に対応するデータを検出器から受信し、前記データを処理し、前記使用者（Ｕ）によって行われたジェスチャを識別し、前記ジェスチャと前記制御指令ユニット（３９）に記憶された所定の動作パターンとを比較するように構成され、前記マシンの特定の機能命令が、予め決められた各動作パターンに関連付けられることを特徴とするマシン。
【請求項９】
請求項１から８のいずれか１つのマシンにおいて、
前記スライドレール（３）に沿った前記キャリッジ（４）の位置又は前記第２戻りセグメント（２４）に対する前記第１戻りセグメント（２３）の角度のうちの少なくとも１つを検出するように構成された検出装置（４１）を含むことを特徴とするマシン。
【請求項１０】
請求項１に記載のマシンにおいて、
前記第１ケーブルブランチ（ａ）及び前記第２ケーブルブランチ（ｂ）は、エラストマー材料からなり、各々がそれぞれ負荷源を構成することを特徴とするマシン。
【請求項１１】
請求項１０に記載のマシンにおいて、
前記第１ケーブルブランチ（ａ）及び前記第２ケーブルブランチ（ｂ）には、前記接続端部（１７）とは反対側において、マシンフレーム（ｆ）に取り付けられた取付端部（２０）がそれぞれ設けられていることを特徴とするマシン。
【請求項１２】
請求項１１に記載のマシンにおいて、
前記第１ケーブルブランチ（ａ）と前記第２ケーブルブランチ（ｂ）とは、互いに一体に接続されていることを特徴とするマシン。
【請求項１３】
請求項１から１２のいずれか１つに記載のマシンにおいて、
前記スライドレール（３）は、マシンフレーム（ｆ）に対して、前記スライドレール（３）の長手方向延長部に平行な回転軸（Ｘ）周りに回転可能であることを特徴とするマシン。
【請求項１４】
請求項１から１３のいずれか１つに記載のマシンにおいて、
前記スライドレール（３）は、前記スライドレール（３）の長手方向の展開に直交する第２回転軸（Ｙ）周りにおいて選択的に回転可能であることを特徴とするマシン。
【請求項１５】
請求項１から１４のいずれか１つに記載のマシンにおいて、
前記使用者（Ｕ）を支持するように構成されたプラットフォーム（ｐ）を有するマシンフレーム（ｆ）と、
前記プラットフォーム（ｐ）に関連付けられ、前記プラットフォーム（ｐ）上の前記使用者（Ｕ）の重量を検出するように構成されたセンサ（１５ａ、１５ｂ、１５ｃ、１５ｄ）と、
前記センサ（１５ａ、１５ｂ、１５ｃ、１５ｄ）に接続され、検出された重量データを処理し、検出されたデータの少なくとも１つが設定閾値を下回るときには常に警報信号を出力するように構成された警報システムとを備えていることを特徴とするマシン。
【請求項１６】
体操運動用マシン（５００）であって、
グリップ要素（５０６）と、
第１負荷源（５０１）を生成するように構成された第１モータ（５３６）と、
第２負荷源（５０２）を生成するように構成された第２モータ（５３７）と、
それぞれ別個の接続端部（５１７）が前記グリップ要素（５０６）に取り付けられ、前記各接続端部（５１７）の反対側のそれぞれ別個の牽引端部（５１８）が前記第１負荷源（５０１）及び前記第２負荷源（５０２）をそれぞれ受けるために前記第１モータ（５３６）及び前記第２モータ（５３７）に接続された第１ケーブルブランチ（ａ）及び第２ケーブルブランチ（ｂ）を有するケーブル牽引手段（５１６）と、
前記第１モータ（５３６）及び前記第２モータ（５３７）に接続され、且つ、前記第１負荷源（５０１）及び前記第２負荷源（５０２）を調整して前記グリップ要素（５０６）で使用者（Ｕ）が牽引する間に前記グリップ要素（５０６）で感じ取る一定の強度及び方向の抵抗力（Ｒ）を生成するように構成された制御指令ユニット（５３９）とを備えていることを特徴とするマシン。
【請求項１７】
請求項１６に記載のマシンにおいて、
前記制御指令ユニット（５３９）に接続され、前記第１ケーブルブランチ（ａ）及び前記第２ケーブルブランチ（ｂ）の角度を検出するように構成された検出装置（５４１）を備えていることを特徴とするマシン。  
【請求項１８】
請求項１６又は１７に記載のマシンにおいて、
前記使用者（Ｕ）を支持するように構成されたプラットフォーム（ｐ）を有するマシンフレーム（ｆ）と、
前記プラットフォーム（ｐ）に関連付けられ、前記プラットフォーム（ｐ）上の前記使用者（Ｕ）の重量を検出するように構成されたセンサ（１５ａ、１５ｂ、１５ｃ、１５ｄ）と、
前記センサ（１５ａ、１５ｂ、１５ｃ、１５ｄ）に接続され、検出された重量データを処理し、検出されたデータの少なくとも１つが設定閾値を下回るときには常に警報信号を出力するように構成された警報システムとを備えていることを特徴とするマシン。
【発明の詳細な説明】
【技術分野】
【０００１】
本発明は、運動能力、機能的能力、筋力の発達や、医療又はリハビリテーションのための運動用マシンに関する。特に、本発明は、使用者が１つ以上のケーブル牽引手段を介して抵抗負荷源にそれぞれ接続された１つ以上のグリップ要素に働きかける運動用マシンに関する。
【背景技術】
【０００２】
機能強度運動用マシンは、使用者が、従来のフリーウェイトエクササイズ（ダンベル、バーベルなど）を模倣して、空間内で比較的自由で複雑な動きを行うことを可能にし、広範囲の練習を行えることで知られている。これらのマシンは、一般的に、典型的なプーリの周りを摺動するケーブルを介してグリップ要素に伝えられる抵抗負荷により構成される。抵抗負荷は、ウェイトスタック、抵抗機器、空気圧又は電気アクチュエータを介して「生成」され得る。
【０００３】
この種のマシンにおいては、抵抗負荷（すなわち、使用者がグリップ要素で感じ取り、特定の動きをするためにそれに対抗しなければならない力）は、常に、グリップ要素に負荷を伝えるケーブルの方向に沿って作用する。同様に、グリップ要素がより多くのケーブル又は同じケーブルのより多くのセグメントを含む場合（例として可能な構成が図１に示されている）、図１に示すように、使用者によって感じ取られる抵抗力の方向はベクトル合計によって与えられる。
【０００４】
特許文献１では、フレームと少なくとも１つの操作器具とを備えた運動用マシンが開示されている。少なくとも１つの操作器具は、身体運動を行うために使用することができ、フレームに支持されるとともに、経路を画定するように配置されたフレームに支持される複数の伝達部材に巻き掛けられた少なくとも１本のケーブルによって前記操作器具に接続された負荷群を含む。負荷群は、互いに分離されるとともにケーブルによって互いに接続され、且つ、操作器具の両側の経路の端部に配置された少なくとも２つの負荷ユニットを含み、負荷ユニットは、異なる荷重によってそれぞれの反対側に張力をかけることができる。
【０００５】
特許文献２では、運動用マシンの別の例が開示されており、該運動用マシンは、上部及び下部に上部プーリ及び下部プーリがそれぞれ取り付けられた細長いフレームを含む。フレームに動作可能に接続された抵抗手段は、使用者の運動動作に応じた運動力を提供する。２つの端部を有するケーブルは、上部及び下部のプーリの周りでその端部が抵抗手段に接続された状態で訓練される。ケーブルの中間部分に摺動可能に取り付けられたグリップは、フレームによって運ばれるキャリッジに取り付けられた２つのガイドプーリの周り及びその間において訓練される。ガイドプーリは、ケーブルの中間部分をキャリッジから横方向外側に案内して、グリップによる係合のための作動ループを提供する。キャリッジの高さは、フレームに対して選択的に調整可能である。作動ループの長さは、キャリッジの高さにかかわらず、引っ張られないと実質的に一定のままである。抵抗手段は、弾力性のある抵抗ストラップ、コイルバネ又はウエイトを含むことができる。
【０００６】
特許文献３では、フレームとウェイトスタックとを含む運動用マシンが開示されている。ウェイトスタックは、フレームの一部に配置される。運動用マシンは、ウェイトスタックのウェイトプレートに選択的に取り付けるように構成された第１端部、経路を画定するガイドトラック、及びガイドトラックに摺動可能に結合された可動プーリアセンブリを有するウェイトケーブルをさらに備える。運動用マシンは、ウェイトスタックのウェイトプレートに選択的に取り付けるように構成された第１の端部、経路を規定するガイドトラック、ガイドトラックに摺動可能に結合された可動プーリ組立体とをさらに含む。位置決め機構は、可動プーリ組立体に連結され、可動プーリ組立体をガイドトラックによって画定された経路に沿って移動させて位置決めするように構成されている。
【先行技術文献】
【特許文献】
【０００７】
【特許文献１】米国特許第７６７０２７０号明細書
【特許文献２】米国特許第４４０２５０４号明細書
【特許文献３】米国特許出願公開第２０１４／０１２１０７１号明細書
【発明の概要】
【発明が解決しようとする課題】
【０００８】
従来のケーブルトレーニングマシンでは、装置フレームからのケーブルの出口点が運動中に静止しているので（運動前に手動で調整することはできるが）、抵抗負荷の実際の方向はグリップ要素の空間内の位置に依存する。これは、空間内の特定の位置を想定し、特定の方法で運動を行うことによってのみ、使用者が抵抗負荷の方向を制御できることを意味する。例えば、使用者が空間内の任意の位置に対して抵抗力を一定方向に維持したい場合、グリップ要素をケーブルと平行に動かすことによって運動を行わなければならない（換言すれば、使用者は手作業でケーブルの向きを空間内で一定に保たなければならない）。
【０００９】
抵抗力の方向を一定に保つことが困難であることは注目すべきことであるが、これとは逆に、フリーウェイトによる通常のウェイトリフティングにおいては抵抗負荷の方向が常に地面を指す（地球の重力に従う）ことが自然に生じる。
【００１０】
さらに、従来の運動用マシンは、本質的、構造的、及び安全上の理由から、扱い難くて（支持フレームは、使用者が利用可能な実際の作業領域よりもかなり大きい）重い（総重量は運動に利用可能な重量／負荷よりもかなり重い）。
【００１１】
さらに、従来の運動用マシンは、運動の開始、抵抗負荷の変更、運動の中断を含む一般的な作業を行うためのマシンのユーザーインターフェイスとして使用されるいくつかの手段を含み、これらの手段は、マシンのフレーム上に配置され、運動中に使用者が前記ユーザーインターフェース上で動作を実行することを禁止する。
【課題を解決するための手段】
【００１２】
「ベクトル化する」、「耐荷重をベクトル化する」という用語は、グリップ要素で大きさ及び方向の両方で感じ取る抵抗負荷を制御する使用者の能力を表しており、「ベクトル化システム」という用語は、このような能力を達成するために提供された、ここに開示された手段のシステムを表す。マグニチュードとは、グリップ要素で使用者が感じ取る重量又は力（例えば、５ｋｇ、２５ｋｇ）を意味し、方向とは、抵抗負荷が所望の方向、例えば常に地面に向かって、又は水平面からの任意の角度、例えば４０°で作用することを意味している。抵抗負荷をベクトル化する能力は、使用者の位置又は動きから実質的に独立している。負荷源は、ケーブルに特定の力を加えるのに適した手段又はシステムを意味する。それぞれがケーブルに接続された複数の負荷源を参照する場合、ある機構がケーブルの力を他の機構とは独立に制御できることが意図されている。或いは、両方のケーブルに同じ力が加えられると、そのような端部は独立して動くことができる。ベクトル化システムの挙動は、ベクトル化システム自体の前にケーブルを含むベクトル化システムが適切に動作するのに必要な力をケーブルに沿ってもたらすことができる特定の機構（例えば、滑車、ベクトル化システムの前に複雑なケーブル経路を作るために使用される伝達機構）に依存しない。複数の負荷源を参照する場合、各負荷源は互いに独立していること、すなわち各負荷源の力は独立して制御可能であることが意図されている。
【００１３】
本発明の主要な目的は、抵抗負荷をベクトル化することができる運動用マシンを構築するための手段を提供することであり、使用者に、抵抗負荷の方向を常に地面に向けることにより、地球の重力に従うフリーウェイト（バーベル、ダンベル等）との関係を認識させるか、或いは、抵抗負荷の方向を制御された方法で変化させることにより、他の特定の効果及び運動タイプを可能にする。
【００１４】
本発明の別の目的は、電子的に制御可能である場合には、負荷源をそれ自体だけを使用してケーブル出口点を特定の位置に移動または保持する能力を得ることである。
【００１５】
本発明の別の目的は、マシンにおいて一連の特定の電気モータ構成を使用する能力を得ることであり、その目的は、ケーブルに抵抗負荷を発生させること、ベクトル化システムを制御すること、及びマシンを制御するために作られたユーザージェスチャーを認識するのに適したセンサとして作用することである。そのような能力は、電子的に制御された負荷源を有する任意のタイプの運動用マシンにおいて実施することができる。好ましいモータ構成により与えられる特殊性は、平坦でコンパクトなモータの設計によるものであり、システム全体を平坦な設計に導く。これは、コンパクトで且つ軽量な運動用マシンの実現に寄与する。
【００１６】
本発明の別の目的は、運動用マシンを制御する中央コンピュータと通信する安全で且つ運動制御及びフィードバック装置を組み込んだグリップ要素の種類である。とりわけ、これらのグリップ要素は、従来の体重静止構造を必要とせずに（例えば、「チェストプレス」と呼ばれる一般的な運動を行うためにバーベルを保持してベンチに横たわる）、使用者が所定の位置にあり、運動の準備が整ったら、抵抗負荷を作動させ得る。さらに、緊急時には、使用者は外部からの補助なしで抵抗負荷を停止することができる。これらのグリップ要素は、負荷源が電子的に制御される場合（例えば、電気モータ、空気圧アクチュエータ）にのみ有効であり、電子的に制御された負荷源を有する任意のタイプの運動用マシンに取り付けられ得る。
【００１７】
本発明のさらに別の目的は、マシンフレームの完全な安定性を保証し、マシンを地面、壁又は固定された物体に固定する必要なく、コンパクト（小さなフレーム）で軽量な運動用マシンを実現する安全システムである。
【００１８】
最後に、本発明の別の目的は、幅広い重量又は機能又はリハビリテーションの運動を行うための、安全、軽量、コンパクト、運搬可能、保管可能な運動用マシンを実現するために上述した手段の一部又は全部を組み合わせることによって従来技術のいくつかの欠点を克服することである。
【００１９】
本出願人は、最先端技術の欠点を克服し、これら及び他の目的及び利点を得るために、本発明を考案し、試験し、実施した。
【００２０】
従来の解決策及び技術の他の制限及び欠点は、以下の実施形態の図面及び説明を参照して本明細書の残りの部分を読んだ後において当業者には明らかとなり、本明細書に関連する技術水準の記載は、ここに記載されていることが先行技術の状態から既に知られていることを認めるものではないことは明らかである。
【００２１】
本発明は、独立請求項に記載され、特徴付けられるが、従属請求項は、本発明の他の特徴又は主な発明思想に対する変形を記載する。
【００２２】
本発明によれば、体操運動用マシンは、
スライドレールと、
前記スライドレールに摺動可能に取り付けられたキャリッジと、
前記キャリッジに設けられ、それぞれの回転軸を中心に空転可能な第１プーリ及び第２プーリと、
グリップ要素と、
別個の接続端部が前記グリップ要素にそれぞれ接続された第１ケーブルブランチ及び第２ケーブルブランチを含むケーブル牽引手段と、
前記第１ケーブルブランチ及び前記第２ケーブルブランチが前記第１プーリ及び前記第２プーリの周りに少なくとも部分的に巻き掛けられ、前記グリップ要素と前記第１プーリ及び前記第２プーリのそれぞれとの間に画定された第１戻りセグメント、及び、一方が前記キャリッジの第１側に延びる一方、他方が前記キャリッジの前記第１側とは反対側の第２側に延び、且つ、実質的に前記スライドレールに平行な第２戻りセグメントとを含み、
負荷源が前記第２戻りセグメントに接続されるか、或いは、前記第１ケーブルブランチ及び／又は第２ケーブルブランチが負荷源を構成するエラストマー材料で作られ、前記負荷源は、使用者が前記グリップ要素で牽引する間に前記グリップ要素で感じ取る一定の強度及び方向の抵抗力を生成するように構成される。
【００２３】
本発明の別の実施形態によれば、体操運動用のマシンは、
グリップ要素と、
第１負荷源を生成するように構成された第１モータと、
第２負荷源を生成するように構成された第２モータと、
それぞれ別個の接続端部が前記グリップ要素に取り付けられ、前記各接続端部の反対側のそれぞれ別個の牽引端部が前記第１負荷源及び前記第２負荷源をそれぞれ受けるために前記第１モータ及び前記第２モータに接続された第１ケーブルブランチ及び第２ケーブルブランチを有するケーブル牽引手段と、
前記第１モータ及び前記第２モータに接続され、且つ、前記第１負荷源及び前記第２負荷源を調整して前記グリップ要素で使用者が牽引する間に前記グリップ要素で感じ取る一定の強度及び方向の抵抗力を生成するように構成された制御指令ユニットとを備えている。
【００２４】
以下の説明及び特許請求の範囲において、ケーブルという単語は、ケーブル自体を含むとともに、ベルトやチェーンの如きケーブルのような構成要素も含む。
【００２５】
以下で使われるＤＯＦは、一般的に、各グリップ要素について、当該グリップ要素自体を保持する使用者が感じ取る抵抗負荷の「自由度」を表す。
【００２６】
１つのＤＯＦは、装置が抵抗負荷の値のみを制御でき、方向は制御されずに使用者の位置及びマシン構成に依存する。１つのＤＯＦは、１つの抵抗負荷源のみを必要とする。これは、ここに発明されたベクトル化システムではなく、従来の運動用マシンにおける構成である。
【００２７】
２つのＤＯＦは、装置が抵抗荷重の値と作業面の方向とを制御できる。各グリップ要素には、少なくとも２つの独立した抵抗負荷源が必要である。
【００２８】
３つのＤＯＦは、装置が抵抗負荷の値と作業量の方向とを制御できる。各グリップ要素には、少なくとも３つの独立した抵抗負荷源が必要である。
【００２９】
２つ及び３つのＤＯＦベクトル化システムを作動させることができる。つまり、完全制御に必要な数よりも少ない独立した負荷源を持つことができる。これらの場合、方向を変えることができず、マシンの構成に依存するが、抵抗力の方向を一定に保持することができる（使用者の位置から独立して）。この明細書では、２つのＤＯＦベクトル化システムのみクレーム化される。３つのＤＯＦベクトル化システムは、経路に沿って移動するのではなく、平面上で移動することができるキャリッジと、より複雑なケーブル配置が必要であるが、ここで説明する基本的なベクトル化システムの組み合わせによって得ることができる。
【００３０】
ベクトル化システムの異なる実施形態（そのうちのいくつかは、本出願でさらに詳細に説明される）は、負荷源の数、ケーブル牽引手段の経路及び各グリップ要素に関する機構に依存して異なるレベルの力のベクトル化を可能にする。
【００３１】
本発明の好ましい抵抗負荷源は電動モータであり、より好ましくは、薄型ハウジングに取り付け可能なコンパクトな電気モータであり、コンパクトな運動用マシンの実現を手助けする。このようなモータは、動力源、モータコントローラ、モータ速度を測定するための追加のセンサ又は提供される実際の抵抗負荷等、適切に動作するための他の従来の部品が必要であるか、或いは必要であるかもしれない。モータは、使用者の運動の動きに応じてケーブル牽引手段が巻き取られ巻き戻される巻取スプールに連結され、前記モータはケーブルに所望の張力を維持して抵抗力の大きさ（ベクトル化システムで使用する場合は方向）を動的に制御することができ、これらのモータは、使用者の動きを監視し、マシンを制御するために作られた特定のユーザジェスチャを認識する負荷源及びセンサと同時に動作するのに適している。この能力は、モータ電圧とモータ速度との間の実質的な比例関係、或いは使用者の動きに関連するモータ速度を測定することができる特定のセンサ（例えば、エンコーダ）によって得られる。
【００３２】
好ましい電動モータの型は、非常に平坦な形状を可能にするプリント電機子を備えた公知の”パンケーキ”モータである。それらは、スプールに直接的にか、或いはトルクを増加させることができる異なる伝達システムに直接結合することができるとともに、システムをフラットな形状にする。
【００３３】
もう１つの好ましいモータの型は、ハブモータ（電動バイクで使用されるような）か、或いは、分離されたスプールを有する代わりに前記モータケースにケーブルを直接巻き付けることを可能にする回転ケースを備えた外部ロータモータである。
【００３４】
さらに別の好ましいモータの型は、トルクを増加させるために遊星ギアヘッドと結合された従来のモータ（ＡＣ又はＤＣ）である。スプールはギヤ軸に直接結合されているので、長くて細い同軸設計が可能であり、薄いハウジングに設置することができる。
【００３５】
グリップ要素が少なくとも１つの好ましい実施形態は、グリップ要素を入力装置として機能させるとともに視覚手段によるマシンに対するユーザインターフェースを可能にするインターフェース装置と、運動又は機械のセットアップのための音響的又は触覚的なフィードバックと、運動中であっても抵抗負荷を作動、停止又は変更するための制御手段（従来からの種類である、少なくとも１つのボタン、１つのスイッチなど）とを含む。従来技術におけるこのようなインターフェース装置は、マシンのフレーム上に配置されている。グリップ要素のこの実施形態は、抵抗負荷が電子的に制御可能である場合（空気圧又は電気アクチュエータなど）にのみ有効である。
【００３６】
この能力は、入力装置として動作し、且つ、使用者のジェスチャを認識するために、好ましい負荷源の型、電気モータの能力と組み合わせることができる。
【００３７】
特に、使用者が特定のボタン、例えば各グリップ要素に組み込まれた一連のボタンを押すと、マシンが「セットアップモード」に切り替わり、使用者はグリップ要素を上昇又は下降させて（ケーブルを引っ張るか解放し、それに応じて電気モータを使用者の動きに応じて強制的に回転させて）、抵抗負荷を増減させる。他の使用者のジェスチャを、例えば、ベクトル化システム角度を変更するために（ベクトル化システムが実装されている場合）実装することができる。より具体的には、少なくとも１つのボタン（又は同等の手段）が、電源オン、電源オフ、抵抗負荷の変更、動作モードの変更のうちの少なくとも１つの機能を有する。使用者へのフィードバックは、振動装置又は視覚インジケータ（例えば、スクリーン又はＬＥＤ）又はスピーカによって具体化することができる。ユーザジェスチャの読み取りを改善するためのセンサは、慣性測定ユニット（加速度計、ジャイロスコープなど）によって実施することができる。グリップ要素から提供されるすべての機能は、組み合わせることが可能であり、装置の有用性及び安全性を向上させることを目的とする。
【発明の効果】
【００３８】
本発明のいくつかの利点の中の１つは、グリップ要素で感じ取る抵抗力の方向が、使用者によって制御可能であり、抵抗負荷源以外の追加のアクチュエータなしで、指定された値に自動的に保持される。任意で、その方向の正確性を専用のセンサによって向上させることができる。さらに、負荷ベクトル化システムは、エクササイズ中に動的に作用し、他のパラメータ関数で様々なトレーニング曲線を実現することができる。さらに、ベクトル化システムは、マシンの構成を手動で変更する必要無しに、異なる種類の運動を迅速に変更したり、作業領域内の異なる位置を決めたりすることを可能にする自動調節システムとしても機能する。さらに、負荷ベクトル化システムは、キャリッジを手動ではなく特定の位置にセットするとともに保持して使用されることができ、使用者が固定又は選択可能なケーブル出口点を有する従来如きケーブルマシンのように練習を行うことを可能にする。
【００３９】
本発明の好ましい抵抗負荷源は、エクササイズ中にケーブルを巻き取り巻き戻しする巻取ドラムに連結された非従来型（このタイプの運動用マシンのための）コンパクト電動モータであり、負荷の大きさ及び方向に抵抗する動的制御を可能にし、マシンの軽量化とコンパクト化を図り、緊急時に瞬時に負荷を停止にする機能により安全性を向上させる。これは、運動中に使用者の動きの測定、特に、マシン動作を制御するために作られた特定のユーザジェスチャを認識するのに適したセンサとしても機能する電動モータの能力に関連する。
【００４０】
少なくとも１つのグリップ要素の好ましい実施形態は、入力装置及びマシンへのユーザーインターフェースとして機能し、先行技術においてはマシンのフレーム上に配置される一般的な手段であるけれども、人間工学と使いやすさとを向上させ、さらに、装置の安全性を高め、使用者は準備ができたときに抵抗負荷を作動させることができ、それをいつでも無効にすることができる。
【００４１】
前記機能は、マシンの不安定性を防止するか、或いは使用者に警告する、又は、地面や壁に固定されていない軽いマシンで発生する可能性のある危険を覆すといった本発明の別の好ましいセキュリティ機能と関連付けられてもよい。
【００４２】
マシンの一実施形態は、使用者が運動を行うために位置する薄いプラットフォームの形状を有する。すべての機構がプラットフォーム内に隠されており、使用者がマシン可動部品によって損傷を受けるのを防止して、装置の安全性を向上させている。プラットフォームが軽量で自由に地面に置けるので、使用しないときには自由に移動させて保管することができる。
【００４３】
最後に、本発明は、モジュール的なアプローチ、すなわち、より複雑な運動用マシンを構築するために上述の基準機構の組み合わせを採用するとともに、負荷方向を反転させるために、ベンチ、ラック及びプーリシステムを含む従来の又は特殊な装置を追加することが可能である。
【００４４】
本開示のこれら及び他の態様、特徴及び利点は、以下の説明、図面及び添付の特許請求の範囲を参照することにより、より良く理解されるであろう。本明細書にまとめられ、本明細書の一部をなす図面は、本発明のいくつかの形態の実施形態を示し、説明と共に、本開示の原理を説明することを意図している。
【００４５】
本明細書に記載される様々な態様及び特性は、可能な場合には個別に適用することができる。これらの個々の態様、例えば添付の従属請求項に記載された態様及び特性は、分割出願の目的とすることができる。
【００４６】
特許取得過程において、既に知られていることが発見されたいかなる様相又は特性がクレーム化されず、免責の対象となることが理解される。
【図面の簡単な説明】
【００４７】
本発明のこれら及び他の特徴は、以下の好ましい実施形態の説明から明らかになり、添付の図面を参照して非限定的な例として与えられるであろう。
【００４８】
【図１】図１は、既知の運動用マシンにおける機能の図面と負荷の分布とを示す。
【図２】図２は、１つの可能な実施形態に従う運動用マシンの概略図である。
【図３】図３は、異なる使用状態における図２のマシンの概略図である。
【図４】図４は、図２の変形実施形態を示す。
【図５】図５は、図２の別の変形実施形態を示す。
【図６】図６は、図３の模式図の解決策である。
【図７】図７は、図５の可能な変形実施形態を示す。
【図８】図８は、図５の可能な変形実施形態を示す。
【図９】図９は、本発明の別の実施形態を示す。
【図１０】図１０は、ケーブル牽引手段がエラストマー材料で作られている本発明の可能な実施形態を示す。
【図１１】図１１は、ケーブル牽引手段がエラストマー材料で作られている本発明の可能な実施形態を示す。
【図１２】図１２は、ケーブル牽引手段がエラストマー材料で作られている本発明の可能な実施形態を示す。
【図１３】図１３は、２つの運動モジュールを備えた本発明の可能な実施形態を示す。
【図１４】図１４は、２つの運動モジュールを備えた本発明の可能な実施形態を示す。
【図１５】図１５は、本発明のさらに別の実施形態を示す。
【図１６】図１６は、本発明のさらに別の実施形態を示す。
【図１７】図１７は、可能な実施形態に従う本発明のマシンの構成要素の可能な実施形態を示す。
【００４９】
理解を容易にするために、可能であれば、図面中の同一の共通要素を識別するために同じ参照番号が使用される。実施形態の１つの形態の要素及び特性は、さらなる説明なしに実施形態の他の形態に好都合に組み込むことができることが理解される。
【発明を実施するための形態】
【００５０】
ここで、本発明の様々な実施形態を詳細に参照するが、そのうちの１つ又は複数の実施形態が添付の図面に示されている。各実施例は、本発明の説明のために提供され、限定なものとして理解されるべきではない。例えば、１つの実施形態の一部として限定的に記載された図又は特性は、他の実施形態を生み出すために他の実施形態に、またはそれに関連したものに採用することができる。本発明は、そのような変更及び変形の全てを含むものと理解される。
【００５１】
これらの実施形態を説明する前に、本発明の記載が、添付の図面を用いた以下の説明に記載されているように、構成要素の構造及び配置の詳細にその適用に限定されないことも明らかにする必要がある。本説明は、他の実施形態を提供することができ、様々な他の方法で取得又は実行することができる。
【００５２】
本発明は、実施例と、完全制御（２つの負荷源）及び作動下（１つの負荷源）の２つのＤＯＦ構成の参照と、設計の手助けとを詳細に説明し、図２は、２つの抵抗負荷源と、直接的にか、或いは、滑車輪（図示せず）の経路を介してケーブル牽引手段１６にそれぞれ作用する第１負荷源及び第２負荷源とを備えた２つのＤＯＦ完全ベクトル化システムのための運動用マシン１００の一実施形態を示す。
【００５３】
第１負荷源１及び第２負荷源２は、第１力Ｆ１及び第２力Ｆ２をそれぞれ発生するように構成されている。
【００５４】
いくつかの実施形態によれば、運動用マシン１００は、当該運動用マシン１００の構成要素の少なくとも一部を支持するように構成されたマシンフレーム”ｆ”を備えることができる。
【００５５】
マシンフレームｆは、壁又は床、或いは、壁又は床のいずれかに取付可能な実際の骨組みによって接続するための接続ブラケットによって定義され得る。
【００５６】
ケーブル牽引手段１６は、単一体で作られるか、或いは、互いに往復可能に接続された２つ以上のケーブルを含むことができる。
【００５７】
可能な解決策によれば、ケーブル牽引手段１６は、グリップ要素６に取り付けられたそれぞれ別個の接続端部１７を有する第１ケーブルブランチ”ａ”及び第２ケーブルブランチ”ｂ”を含む。
【００５８】
本発明の可能な実施形態によれば、例えば、接続端部１７及び／又はそれらの反対側の端部に対応して単一体に繋いで、第１ケーブルブランチａと第２ケーブルブランチｂとを一体なものとしてもよい。
【００５９】
運動用マシン１００は、スライドレール３に摺動自在に取り付けられた少なくとも１つのキャリッジ４を備えている。
【００６０】
可能な動作条件によれば、本発明の一部ではないが、キャリッジ４は、手動又は追加のアクチュエータを用いて所望の位置に選択的に挟持され得る。
【００６１】
スライドレール３は、直線状であってもよいし、円又は円弧のような形状を有していてもよい。
【００６２】
スライドレール３は、内部が中空であるか、或いは、キャリッジ４をスライド式で内部に受け入れるように適切に成形された区分け棒により定義され得る。単に例として、中空の区分け棒は、その内部にキャリッジ４が配置され、その長手方向の開口部からケーブル牽引手段１６が出るＣ字形状にすることができる。
【００６３】
スライドレール３は、マシンフレームｆと結合することができる。
【００６４】
キャリッジ４は、支持体１８と、例えば、スライドレール３に沿ってキャリッジ４の摺動動作を促進させるのに適した１つ以上の車輪か、又はボールからなるスライド要素１９とを含み得る。
【００６５】
本発明の可能な実施形態によれば、運動用マシン１００は、キャリッジ４上に設置され、それぞれの回転軸の周りを空転可能な第１プーリ２１及び第２プーリ２２を含む。
【００６６】
可能な解決策によれば、第１ケーブルブランチａ及び第２ケーブルブランチｂは、第１プーリ２１及び第２プーリ２２の周りに少なくとも部分的に巻き掛けられ、グリップ要素６と第１プーリ２１及び第２プーリ２２のそれぞれとの間に画定された第１戻りセグメント２３、及び、一方がキャリッジ４の第１側２５に延びる一方、他方がキャリッジ４の第１側２５とは反対側の第２側２６に延び、且つ、実質的にスライドレール３に平行な第２戻りセグメント２４を含む。
【００６７】
キャリッジ４の一方側と他方側との第２戻りセグメント２４の特定の位置決め構成のおかげで、使用者Ｕがグリップ要素６に応力をかけるか、或いは空間におけるその位置を変化させるとすぐにスライドレール３に沿ったキャリッジ４の移動を確実に行うことができる。
【００６８】
スライドレール３に沿ったキャリッジ４の平行移動の蓋然性は、第１負荷源１と第２負荷源２とによってそれぞれ生じる第１力Ｆ１及び第２力Ｆ２の合計の結果として生じる抵抗力Ｒの同じ向きを使用者Ｕが常に感じ取ることを確実にする。
【００６９】
可能な実施形態によれば、第１負荷源１及び第２負荷源２は、１つ又は複数の重量ブロックを備えることができる。
【００７０】
可能な実施形態によれば、第１負荷源１及び第２負荷源２は、使用者によって加えられる力に弾性的に対抗するように構成された１つ又は複数の弾性要素を備えることができる。可能な実施形態によれば、弾性要素は、ばね、抵抗要素、空気圧ピストン、又は同様の部品又は同等の部品のうちの少なくとも１つを含む群から選択することができる。
【００７１】
可能な変形実施形態によれば、第１ケーブルブランチａ及び第２ケーブルブランチｂの少なくとも一部はエラストマー材料でできており、それ自体が負荷源を構成している。
【００７２】
他の実施形態によれば、ベクトル化システムの一部でもあり、特定のベクトル化システムの実施形態に必要な数である第１負荷源１及び第２負荷源２は、大きさ及び方向において抵抗負荷を制御するために使用者の入力を受信したり、マシン動作を制御するために作られたユーザジェスチャを読み取るのに適した電気モータである。
【００７３】
特に、第１負荷源１及び第２負荷源２は、それぞれ第１ケーブルブランチａ及び第２ケーブルブランチｂにおいて使用者が及ぼす力に抗する力を生成するのに適した少なくとも１つのモータをそれぞれ備えることができる。
【００７４】
本発明の可能な実施形態によれば、モータは回転モータ又はリニアモータを含むことができる。
【００７５】
第１負荷源１及び第２負荷源２は、上述の実施形態の組み合わせから得ることもできることは明らかである。
【００７６】
実験及びコンピュータシミュレーションは、負荷源１，２（例えば２つの電気モータの機構が負荷源タイプから独立しているが）が同じ量の力Ｆ１＝Ｆ２＝Ｆを発揮する場合、キャリッジ４は、図２の位置８に視覚化されているように、グリップ要素６の下で右に位置する傾向があることを示している。図２の位置７に示すように、グリップ要素の垂直方向の動きは、キャリッジ４の水平位置に影響しない。これにより、図２の実施形態によると、使用者Ｕがグリップ要素６で複雑な軌道を実行し、地球の重力に従って従来の重量で起こるような下方に向く２×Ｆに等しい抵抗力Ｒを常に感じ取る。
【００７７】
図３は、例えば、Ｆ２よりもＦ１の方が大きいなど、負荷源１，２が異なる力を発揮する場合、キャリッジ４が位置１０から位置１１に移動し、その結果、水平方向に関するケーブルの角度が、ａｒｃｏｓ［（Ｆ１−Ｆ２）／（Ｆ１＋Ｆ２）］に実質的に一致する角度９を成す。簡単に言うと、角度９は実質的に力Ｆ１及びＦ２にのみ依存し、所望の挙動を達成するように修正し得る。そのような状態において、使用者Ｕは、Ｆ１＋Ｆ２に等しい抵抗力Ｒが水平方向に対して角度θを向いていると感じ取るようにグリップ要素６を自由に動かすことができる。Ｆ１とＦ２とが等しい場合、数学的関係は９０°の角度になり、図２で説明した条件が得られることに注意する必要がある。
【００７８】
可能な解決策によれば、上記で記載した、スライドレール３、キャリッジ４、第１プーリ２１、第２プーリ２２、グリップ要素６及びケーブル牽引手段１６は、共に運動モジュール１０１として定義し得る。
【００７９】
可能な実施形態によれば、単一の運動モジュール１０１自体が運動用マシン１００を定義し得る。
【００８０】
図２〜図１２は、上述した運動モジュール１０１に関する解決策を示す。
【００８１】
図４に示す解決策によれば、第１ケーブルブランチａと第２ケーブルブランチｂとは単一のケーブル牽引手段１６を画定するように一体化されている。
【００８２】
この解決策によれば、運動用マシン１００は、例えばスライドレール３の端部に対応するように互いに離間して配置された戻り部材１３を備えている。
【００８３】
ケーブル牽引手段１６は、キャリッジ４に関連する第１プーリ２１及び第２プーリ２２に続いて戻り部材１３に巻き掛けられる。
【００８４】
したがって、ケーブル牽引手段１６は、図４の上側に位置し、第１ケーブルブランチａ及び第２ケーブルブランチｂで定義される第１戻りセグメント１４と、図４の下側に位置し、第１戻りセグメント１４とは反対側に位置する第２セグメント１５とを有す。
【００８５】
負荷源１２は、ケーブル牽引手段１６の第２セグメント１５に関連付けられるとともに、ケーブル牽引手段１６に使用者Ｕがグリップ要素６で感じ取る抵抗力Ｒを加えるように設けられている。
【００８６】
負荷源１２は、１つ以上の重量を含むことができる。この解決策によれば、使用者Ｕによって感じ取られる抵抗力Ｒは、常に垂直方向か、又はスライドレール３の長手方向の展開に対して直角の方向に向く。
【００８７】
可能な解決策によれば、戻り要素５３は、第２戻りセグメント１５と関連付けられ、負荷源１２を所定の位置に維持するように構成される。戻し要素５３は、マシンフレームｆ上に設置することができる。
【００８８】
図５に示す解決策によれば、スライドレール３は、マシンフレームｆに対して、スライドレール３の長手方向延長部に平行な回転軸Ｘを中心に回転可能に設けられる。
【００８９】
この構成は、運動用マシン１００に、より多くの使用用途を提供する。
【００９０】
この変形例によれば、スライドレール３の回転に伴って第１負荷源１と第２負荷源２とを一体的に回転移動させることができる。
【００９１】
図６には、スライドレール３が支持要素２８に設置可能な解決策が示されている。
【００９２】
支持要素２８は、固定構造体に取り付けられた旋回要素２９によってその両端が支持されている。旋回要素２９は、支持要素２８を回転軸Ｘの周りに回転させるように構成されている。
【００９３】
可能な変形実施形態によれば、旋回要素２９自体がマシンフレームｆを定義するか、或いは旋回要素２９の一体化部分とすることができる。
【００９４】
図６に示す解決策によれば、支持要素２８は、箱形又は管状を有することができ、すなわち、少なくともスライドレール３が固定されるキャビティが設けられ、キャリッジ４はその中に少なくとも部分的に収容される。
【００９５】
支持要素２８は、スライドレール３と実質的に平行に延び、支持要素２８のキャビティを外側に連通させるスリット３０を含むことができる。
【００９６】
第１負荷源１及び第２負荷源２は、この場合には支持要素２８のキャビティ内に支持要素２８にしっかりと取り付けられている。
【００９７】
例えば図７に示す別の実施形態によれば、スライドレール３は、横方向、この場合にはスライドレール３の長方形の展開に直交するように位置決めされた横方向ガイド３１に設置可能である。
【００９８】
この実施形態によれば、マシンフレームｆは、固定構造体又はマシンフレームｆの他の部分のいずれかに取り付けられた横方向ガイド３１を備える。
【００９９】
スライドレール３は、例えば、支持要素２８によって、横方向ガイド３１に沿って摺動するように取り付けられた摺動装置３２に、直接的又は間接的に関連付けられる。摺動装置３２は、キャリッジと、横方向ガイドに沿ったキャリッジのスライドを案内するための車輪及び／又はボールとを含む。
【０１００】
この実施形態においても、スライドレール３が回転軸Ｘを中心に回転可能であることを提供できる。
【０１０１】
例えば、図８を参照に説明する別の変形実施形態によれば、スライドレール３は、スライドレール３の長手方向の展開に直交する第２回転軸Ｙ周りを選択的に又は自由に回転可能であるようにすることが可能である。
【０１０２】
図８に示す可能な解決策によれば、第２回転軸Ｙは、スライドレール３の第１端部３３に対応して位置決めされる。
【０１０３】
スライドレール３における第１端部３３の反対側の第２端部３４は、円軌道３５の円弧に沿って摺動自在である。この解決策によれば、第２端部３４は、支持するとともにスライドレール３を支持面に対して摺動させるように構成された摺動装置３２を備えることができる。
【０１０４】
本発明の可能な実施形態によれば、湾曲ガイドが第２端部３４の動きを制御及び案内するために設けられた円軌道３５の円弧に関連付けされ得る。湾曲ガイドは、マシンフレームｆと関連付けることができる。
【０１０５】
図８を参照して説明した可能な実施形態によれば、スライドレール３は、第２回転軸Ｙを中心に回転可能であると共に、図５〜図７を参照して説明したのと実質的に同様に回転軸Ｘの周りを回転可能である。
【０１０６】
図９を参照して説明した別の実施形態によれば、第１負荷源１及び第２負荷源２は、第１ケーブルブランチａ及び第２ケーブルブランチｂに使用者Ｕによって加えられる力に等しい抵抗力をそれぞれ発生させるのに適した第１モータ３６及び第２モータ３７を含むものとされ得る。
【０１０７】
好ましい解決策によれば、第１モータ３６及び第２モータ３７は、電気モータ、例えばパンケーキモータである。
【０１０８】
単なる例として、第１モータ３６と第２モータ３７とには、自身の回転軸の周りで選択的に回転可能であり、第１ケーブルブランチａ又は第２ケーブルブランチｂが巻き掛かるドラム４４がそれぞれ設けられ得る。
【０１０９】
第１モータ３６及び第２モータ３７には、第１モータ３６及び第２モータ３７が第１ケーブルブランチａ及び第２ケーブルブランチｂの動きに抗することができる力を制御するための制御装置３８がそれぞれ付いている。
【０１１０】
可能な解決策によれば、制御装置３８は、それぞれ第１ケーブルブランチａ及び第２ケーブルブランチｂに加えられる第１力Ｆ１及び第２力Ｆ２をそれぞれ検出するように構成することができる。単なる一例として、制御装置３８は、力センサ、ロードセル、伸張計、或いは類似の又は同等のセンサを備えることができる。
【０１１１】
可能な変形実施形態によると、制御装置３８は、吸収された電流のような、少なくとも第１モータ３６及び第２モータ３７の電気的機能パラメータを検出するように構成することができる。
【０１１２】
制御装置３８は、第１モータ３６及び第２モータ３７の駆動を調整し、第１ケーブルブランチａと第２ケーブルブランチｂとに付与される第１力Ｆ１及び第２力Ｆ２の実体を決定するように構成された制御指令ユニット３９に接続することができる。
【０１１３】
特に、力Ｆ１及びＦ２の実体を適切に調整することにより、第２戻りセグメント２４に対する第１戻りセグメント２３の所定の角度を決定して、抵抗力Ｒの予め定められた図９に角度９で示す角度を使用者Ｕに認識させることが可能である。
【０１１４】
第１力Ｆ１と第２力Ｆ２との間の差は、スライドレール３に沿ってキャリッジ４の一方側又は他方側への移動を決定し、それ故に第１戻りセグメント２３の異なる傾斜をもたらす。
【０１１５】
可能な解決策によれば、運動用マシン１００は、制御指令ユニット３９に接続され、使用者Ｕが対話により運動の特定の実行モードを指示可能なインターフェース装置４０を備える。インターフェース装置４０によって供給される命令は、第１モータ３６及び第２モータ３７の駆動モードを決定するために使用される。
【０１１６】
特に、制御指令ユニット３９には、運動用マシン１００の所定の機能プログラムが記憶されている記憶デバイスが設けられていてもよい。インターフェース装置４０によって、使用者Ｕは第１モータ３６及び第２モータ３７の異なる駆動モードを決定する機能プログラムのうちの一方又は他方を選択する。
【０１１７】
本発明の可能な構築によれば、検出器は、この制御装置３８の場合、第１ケーブルブランチａ及び第２ケーブルブランチｂに関連付けることができ、グリップ要素６に使用者Ｕが及ぼす明確な応力及び／又は動作を検出するように構成されている。
【０１１８】
制御指令ユニット３９は、データを処理するとともに使用者Ｕによって行われた特定のジェスチャを識別するために、作用するそれぞれの応力に関するデータを、負荷検出器、この場合制御装置３８から受け取るよう構成されている。また、制御指令ユニット３９は、検出されたこれらのジェスチャを、例えば制御指令ユニット３９の記憶装置に記憶された所定の動作パターンと比較するように構成することもできる。
【０１１９】
マシンの特定の機能コマンドは、抵抗力Ｒの強さを大きくし、抵抗力Ｒの相互角度を変化させるために、特定の運動を行うのに適した所定の運動パターンにそれぞれ関連付けることができる。
【０１２０】
使用者Ｕのジェスチャを検出する例として、
上方向又は下方向の動きが検出された場合、抵抗力の増減が決定され、
一方向又は他方向への水平移動が検出された場合、これは使用者Ｕが感じ取る抵抗力Ｒの傾きの調整を生成する。
【０１２１】
単に一例として、インターフェース装置４０には、
使用者Ｕが、例えば、第１モータ３６及び第２モータ３７によって加えられる力の実体及び／又は方向を定義することができる、少なくともボタン、画面、タッチスクリーンが提供され得る。
【０１２２】
インターフェース装置４０は、グリップ要素６と関連付け得る。
【０１２３】
可能な解決策によれば、図示されていない移動センサをグリップ要素６に関連付けて、使用者Ｕによって与えられたグリップ要素６の動きを検出するように構成され得る。
【０１２４】
単に一例として、ジェスチャを検出するために動作センサを使用するとともに制御装置３８を参照して説明したのと実質的に同様の方法でマシン１００の機能を命令することができる。
【０１２５】
また、可能な変形実施形態によれば、図示されていないが、制御指令ユニット３９は、例えばスマートフォン、スマートＴＶ、バーチャルリアリティビューア、ゲームコンソールなどの遠隔装置に通信プロトコルを用いて遠隔で送信するように構成された、情報、例えばマシン１００の使用中に検出されたデータを送信するための装置を提供し得る。検出されたデータは、リモートデバイスにインストールされたアプリケーションによって解釈されるとともに結び付けられ、他のユーザーとデータを共有する可能性がある。
【０１２６】
別の解決策によれば、運動用マシン１００は、スライドレール３に沿ったキャリッジ４の位置と、第２戻りセグメント２４に対する第１戻りセグメント２３の角度のうちの少なくとも一方を検出するように構成された検出装置４１を備え得る。
【０１２７】
可能な解決策によると、検出装置４１は、例えば、スライドレール３（図９に示す場合）及び／又はキャリッジ４などのマシンフレームｆに関連付けられた第１センサ４２を少なくとも含み得る。第１センサ４２は、スライドレール３上のキャリッジ４の位置を検出するように構成されている。
【０１２８】
別の解決策によれば、検出装置４１は、例えば第２戻りセグメント２４に対する第１戻りセグメント２３の角度を検出するように構成された第２センサ４３を備える。単なる一例として、第２センサ４３をキャリッジ４に搭載することができる。
【０１２９】
第１センサ４２及び第２センサ４３、又はそれらのうちの少なくとも１つは、フォトセル、レーザセンサ、誘導センサ、静電容量センサのうちの少なくとも１つを含むことができる。
【０１３０】
キャリッジ４の位置又は第１戻りセグメント２３の角度の少なくとも一方を探索する制御指令ユニット３９は、第１モータ３６及び第２モータ３７の駆動モードを即座に決定することができ、したがって、グリップ要素６に作用する抵抗力Ｒの強さ及び方向を決定し、それ故に使用者Ｕによって感じ取られる。
【０１３１】
可能な解決策によれば、制御指令ユニット３９は、第１モータ３６及び第２モータ３７によって供給されるトルクを制御し、それらを所定の分析表に従って経時的に一定又は可変に維持するように構成される。
【０１３２】
一方、モータの回転速度は自由であり、使用者の動きに依存する。
【０１３３】
いくつかのセンサが関与するより複雑な制御ロジックでは、センサ信号をフィードバックとしてトルクと速度とが制御される。
【０１３４】
図１０〜１２を参照にし、第１ケーブルブランチａ及び第２ケーブルブランチｂがエラストマー材料でできており、したがってそれぞれが負荷源を構成する本発明の可能な実施形態を説明する。
【０１３５】
可能な解決策によれば、第１ケーブルブランチａは、第２ケーブルブランチｂが形成されるのと同じエラストマー材料で作ることができ、或いは、使用者Ｕによる抵抗力Ｒの特定の感知方向を定義するために、例えば弾性率が異なる材料で作ることができる。
【０１３６】
第１ケーブルブランチａ及び第２ケーブルブランチｂには、一方又は他方のブランチに設置されたより多くの抵抗要素、走行を制限するクランプ装置、抵抗要素の予負荷を変化させる装置などを設けることができる。
【０１３７】
図１０に示す実施形態によれば、第１ケーブルブランチａ及び第２ケーブルブランチｂには、マシンフレームｆに取り付けられた接続端部１７に対向し、例えば、取付ブラケットに対応する取付端部２０がそれぞれ設けられている。
【０１３８】
可能な解決策によると、運動用マシン１００は、この場合にはスライドレール３の端部に対応し、マシンフレームｆに関連付けられた戻り要素４５を備え、少なくとも第２戻りセグメント２４をスライドレール３の長手方向の展開に実質的に平行に維持するように構成されている。
【０１３９】
図１１に示す実施形態によれば、第１ケーブルブランチａ及び第２ケーブルブランチｂは、互いに一体的に相互に接続されており、ケーブル牽引手段１６の全長は、グリップ要素６に取り付けられた２つの接続端部１７の間に延びる。
【０１４０】
図１１に示す解決策によれば、運動用マシン１００は、スライドレール３に平行に配置された少なくとも第２戻りセグメント２４と、第２戻りセグメント２４に平行に配置された少なくとも連結セグメント４７とを画定するためにケーブル牽引手段１６が巻き掛けられる戻り部材４６を備え得る。
【０１４１】
戻り部材４６は、マシンフレームｆに取り付けられて配置される。
【０１４２】
戻り部材４６の存在により、ケーブル牽引手段１６の張力をその長手方向の全長に沿って均一にすることが可能になる。
【０１４３】
図１２には、第１ケーブルブランチａ及び第２ケーブルブランチｂの各々が、接続端部１７及び取付端部２０を含む別の変形実施形態が示されている。
【０１４４】
取付端部２０は両方ともキャリッジ４に接続されており、この場合はキャリッジ４の第１面２５と第２面２６とにそれぞれ接続されている。
【０１４５】
図１２に示す解決策によれば、運動用マシン１００は、第１ケーブルブランチａ及び第２ケーブルブランチｂがそれぞれ巻き掛けられる第１戻り部材４８及び第２戻り部材４９を備える。
【０１４６】
特に、第１戻り部材４８及び第２戻り部材４９は、それぞれ一対の戻りホイールを備えることができる。
【０１４７】
各々の対の戻りホイールは、キャリッジ４の一方側と他方側とに位置し、それらの間にスライドレール３が配置される。
【０１４８】
第１ケーブルブランチａ及び第２ケーブルブランチｂの両方、又は第１戻りセグメント２３及び第２戻りセグメント２４、第３戻りセグメント５０は、第１戻り部材４８の一対の戻りホイールと第２戻り部材４９の一対の戻りホイールとの間に延在するよう画定され、第４戻りセグメント５１が第１戻り部材４８及び第２戻り部材４９の戻りホイールのうちの１つから延びて取付端部２０を用いてキャリッジ４に接続される。
【０１４９】
図１０〜図１２に示す実施形態によれば、電子デバイスは、グリップ要素６と関連付けることができ、少なくとも、
グリップ要素６に実際に作用する抵抗力Ｒを検出するセンサ、例えばロードセルと、
グリップ要素６のレイアウト、位置及び速度を推定するセンサ、例えば加速度計及び／又はジャイロスコープと、
センサにより信号を処理して運動パラメータ（例えば電力、速度、累積トレーニング負荷）を計算して制御指令ユニット３９及び／又は遠隔装置に遠隔通信プロトコルを用いて送ることができる電子制御回路とを含む。
【０１５０】
可能な変形実施形態によれば、例えば図１３及び図１４に示すように、運動用マシン１００は、マシンフレームｆ上に設置された複数の運動モジュール１０１を備えることができる。
【０１５１】
図１３及び図１４の各運動モジュール１０１は、単なる一例として、図２〜図１２に示す実施形態を参照して上述したものと実質的に同様の構成を有することができる。
【０１５２】
図１３及び図１４の特定の解決策によれば、運動用マシン１００は、２つの運動モジュール１０１を備え、それぞれのスライドレール３は、相互に離間して設置され、この場合、互いに平行である。
【０１５３】
図１３及び図１４に示す実施形態によれば、マシンフレームｆは、使用者Ｕを支持するように構成されたプラットフォームｐを備える。
【０１５４】
プラットフォームｐは、例えば床などの支持面上に載置することができる。
【０１５５】
スライドレール３は、プラットフォームｐと強固に結合している。
【０１５６】
プラットホームｐは、少なくともスライドレール３及び各キャリッジ４が取り付けられた箱状体２７によって画定され得る。
【０１５７】
また、箱状体２７には、グリップ要素６をそれぞれ箱状体２７の外側に配置するために、ケーブル牽引手段１６を通過させるスリット２８が設けられている。
【０１５８】
したがって、使用者Ｕは、運動を行うために、グリップ要素６の一方及び他方のいずれも、或いは両方同時に作用させ得る。
【０１５９】
図１４を参照すると、各運動モジュール１０１において、第１負荷源１及び第２負荷源２は、図９を参照に上述したのと実質的に類似の方法で、第１モータ３６及び第２モータ３７を備える。
【０１６０】
各運動モジュール１０１において、それらの間にスライドレール３が配置され、スライドレール３に平行な第２戻りセグメント２４を画定する戻りホイール５２を設けることもできる。
【０１６１】
図１５及び１６は、キャリッジ、滑車及びガイドレールなしで同様の結果が得られる２つのＤＯＦの完全ベクトル化システムの別の実施形態を示す。
【０１６２】
この場合、電子制御可能な負荷源１及び２と、負荷源１及び２によって加えられる抵抗力Ｆ１及びＦ２を調整することによって抵抗力の方向を制御する追加のセンサとが必須であり、グリップ要素６において、使用者Ｕは、図１で説明したようにケーブルａの第１ブランチの方向とケーブルｂの第２ブランチの方向とにそれぞれ作用するＦ１とＦ２とのベクトル和に等しい抵抗力Ｒを感じ取る。適切なセンサは、角度９ａ，９ｂ又はケーブルａ及びケーブルｂの露出する長さを直接的又は間接的に測定するために使用される。
【０１６３】
特に、図１５及び図１６に示す実施形態によれば、運動用マシンは、その全体が参照番号５００で示され、図１５に示されるような単一の運動モジュール５１０、又は図１６に示されるような複数の運動モジュール５１０を含むことができる。
【０１６４】
運動用マシン５００、又は特に運動モジュール５１０の少なくとも１つは、
少なくともグリップ要素５０６と、
第１負荷源５０１を生成するように構成された第１モータ５３６と、
第２負荷源５０２を生成するように構成された第２モータ５３７と、
それぞれ別個の接続端部５１７がグリップ要素５０６に取り付けられ、各接続端部５１７の反対側のそれぞれ別個の牽引端部５１８が第１負荷源５０１及び第２負荷源５０２をそれぞれ受けるために第１モータ５３６及び第２モータ５３７に接続された第１ケーブルブランチａ及び第２ケーブルブランチｂを有するケーブル牽引手段５１６と、
第１モータ５３６及び第２モータ５３７に接続され、且つ、第１負荷源５０１及び第２負荷源５０２を調整してグリップ要素５０６で使用者Ｕが牽引する間にグリップ要素５０６に感じ取られる一定の強度及び方向の抵抗力を生成するように構成された制御指令ユニット５３９とを含む。
【０１６５】
本発明の別の態様によれば、運動用マシン５００は、制御指令ユニット５３９に接続され、例えば水平に対して第１ケーブルブランチａ及び第２ケーブルブランチｂの角度を検出するように構成された検出装置５４１を備える。単なる一例として、検出装置５４１は、マシンフレームｆ上の固定位置に設置することができる。
【０１６６】
検出装置５４１は、フォトセル、レーザセンサ、誘導センサ、容量センサのうちの少なくとも１つを含むことができる。
【０１６７】
第１ケーブルブランチａ及び第２ケーブルブランチｂの角度を検出する制御指令ユニット５３９は、第１モータ５３６及び第２モータ５３７の駆動モードを即座に決定することができ、したがって、グリップ要素５０６に作用する抵抗力Ｒの強さ及び方向を決定し、それ故に使用者Ｕによって感じ取られる。
【０１６８】
第１モータ５３６及び第２モータ５３７には、第１モータ３６及び第２モータ３７について説明したのと同様に、捩りトルク、つまり各ケーブルブランチａ，ｂに作用する力を制御する機能を有する制御装置３８がそれぞれ設けられている。
【０１６９】
特に、制御装置３８は、第１ケーブルブランチａ及び第２ケーブルブランチｂの動きに対して第１モータ３６及び第２モータ３７が対抗することができる力を制御できるようにすることができる。
【０１７０】
また、制御装置３８は、モータ５３６及び５３７の電気吸収パラメータを検出するために使用され、このようにしてグリップ要素５０６上における使用者Ｕによって生成された力の実体及び方向を決定することができる。
【０１７１】
可能な解決策によれば、制御指令ユニット５３９は、加えられる力の強度及び方向を各ケーブルブランチに維持するように構成することができる。
【０１７２】
図１６に示す解決策によれば、運動用マシンは、単一のマシンフレームｆに取り付けられた２つの運動モジュール５１０を含む。
【０１７３】
マシンフレームｆは、少なくとも第１モータ５３６及び第２モータ５３７が収容された箱状体２７によって画定された上述のプラットフォームｐを備え得る。
【０１７４】
両方の運動モジュール５１０のモータを制御するための１つの制御指令ユニット５３９があり得る。
【０１７５】
制御指令ユニット３９又は５３９によって行われる制御は、運動用マシン１００、５００の使用中に実行することができる。
【０１７６】
非作動状態では、制御される唯一のパラメータは抵抗力Ｒの強度であり、抵抗力の角度は一定である。
【０１７７】
運動用マシン１００、５００が作動される場合、場合によっては異なる制御モードを実施することが可能であり、例えば、
抵抗力Ｒ及びその抵抗力を感じ取る角度を制御すること、
抵抗力Ｒ及びキャリッジ４の位置を制御すること、である。
【０１７８】
センサ及びアルゴリズムの異なる組み合わせは、運動用マシンの挙動を制御するために利用でき、
１）抵抗力Ｒは、次のように制御され得る。すなわち、
・ケーブル端部とグリップ要素６との間に配置された１つのロードセルを用いて実際の抵抗力Ｒを測定する。この測定値は、各モータ電流を制御する閉ループ制御で使用される。
・第１ケーブルブランチａ及び第２ケーブルブランチｂに作用する力Ｆ１とＦ２とを、各ケーブルの張力を２つのロードセルで別々に測定するか、又はトルクセンサによりモータのトルクを測定する。この測定値は、Ｆ１＋Ｆ２＝Ｆｔｏｔを得るために、各モータ電流を制御する閉ループ制御で使用される。
・開ループ制御の摩擦及び慣性は、実際のＦ１とＦ２とを推定するために、負荷源速度（Ｖ１及びＶ２）、加速度（及びモータ温度のような他のパラメータ）の関数として、事前に又はルックアップテーブルで知られている。各負荷源の速度センサは、集計された補正値を適用し、各モータの制御信号を作成する必要がある。
【０１７９】
２）感知力の角度は、次のように制御され得る。すなわち、
・１．ｂと同様に、独立してＦ１とＦ２とを測定し、Ｆ１−Ｆ２の直接的機能である、所望の感知力角度値を維持するように各モータ電流を制御する。
・キャリッジにある角度センサで所望の感知角度を直接測定し、キャリッジから出てグリップ要素に到達するケーブルセグメントの角度を測定する。
・１．ｃと同様に、集計された摩擦と慣性とによって実際のＦ１とＦ２とを推定し、各モータ電流を制御して所望の感知角値を維持する。
【０１８０】
３）キャリッジ４の位置は、次のように制御され得る。すなわち、
・変換器が実際のキャリッジ位置を測定する。測定値は、各モータ電流を制御するための閉ループ制御で使用される。
・第１負荷源の速度Ｖ１及び第２負荷源の速度Ｖ２（例えばモータ軸に結合されたタコメータ又はモータの張力）を測定する。測定値は、Ｖ１＝Ｖ２となるように閉ループ制御で使用される。これは、キャリッジの速度がＶｃ＝０であり、その位置が初期値で一定に保たれていることを意味する。
・第１及び第２負荷源１，２の位置を直接測定する（例えば、モータ軸に結合されたアブソリュートエンコーダを用いて）。キャリッジの位置は、第１及び第２負荷源１，２の位置に直接関連する。
【０１８１】
制御の可能な組み合わせは、例えば、
・１．ａ＋２．ｂ＋３．ｂ
・１．ｂ＋２．ａ＋３．ｂ
・１．ｃ＋２．ｃ＋２．ｂ
などである。
【０１８２】
実施される組み合わせは、実際の機構の非効率性又は電動機の精度に依存する。
【０１８３】
図１７は、動的条件においても機械の完全な安定性を保証する安全システムを示す（例えば、マシンフレーム上に完全に支持された使用者がその上を移動しているときや、或いは、使用者が負荷の掛かったグリップ要素を持っているときにうっかりとマシンフレームから降りた場合）。
【０１８４】
この安全システムは、本明細書に記載された実施形態の１つ又は他のものに採用することができ、また、筋肉トレーニング装置に採用することもできる。
【０１８５】
このシステムは、マシンフレームｆの下に位置し、マシン全体を地面ｇ上で完全に支持する所定数の力センサ１５ａ、１５ｂ、１５ｃ、１５ｄを備える。
【０１８６】
具体的には、センサ１５ａ、１５ｂ、１５ｃ、１５ｄは、プラットフォームｐの支持面に対向する側に設置され、プラットホームｐに作用する使用者Ｕの重量を検出するように構成されている。マシン１００又は５００は、センサ１５ａ、１５ｂ、１５ｃ、１５ｄに接続された警報システムも備え、検出されたデータの少なくとも１つが設定閾値よりも低いときはいつでも、警報信号を発するように構成されている。
【０１８７】
力センサ１５ａ、１５ｂ、１５ｃ、１５ｄの各々は、正常で安定した動作においてゼロよりも大きな重量を測定する（使用者がマシンフレーム上に完全に支持されている場合、静的状態においては、各重量の合計は、抵抗負荷が作用していても使用者の重量と機械の重量との和になる）。力センサ１５ａ、１５ｂ、１５ｃ、１５ｄの少なくとも１つがゼロに近い重量を検出すると、それは、フレームｆが地面との接触を失っていることを意味し、その結果、不安定性又は転倒のリスクが発生しており（例えば、使用者が平衡で無くなっている）、マシンの中央コンピュータは、使用者に警告することができ、システムの安定性を維持又は回復させるために抵抗負荷を停止又は規制する。
【０１８８】
この特徴は、大きな支持台と重いフレームの必要性、或いは、装置を地面又は壁に固定する必要性を回避する。
【０１８９】
ここで、互いに組み合わせることができる本発明の他の実施形態を説明する。
【０１９０】
実施形態１：医療又はリハビリの目的と同様に、使用者Ｕの運動機能、機能的能力及び筋力の発達に適した運動用マシンは、マシンフレームｆ、ｐ、身体部分に適した形状のグリップ要素６、該グリップ要素６に接続され、且つ、ウェイトスタック、抵抗要素、空気圧アクチュエータ又は電気アクチュエータのような負荷源１，２によって発生する抵抗負荷Ｆ，Ｆ１，Ｆ２を伝える１つ以上のケーブルａ，ｂを備える。この実施形態によれば、運動用マシン１００は、キャリッジ４を摺動可能に支持するレール３に結合され、且つ、ケーブルａ，ｂをグリップ要素６に導く伝達手段５を収容するマシンフレームｆ，ｐを備え、各ケーブルの一端は、使用者の身体部分Ｕのためのグリップ要素６に取り付けられ、他端は、それぞれ負荷源１，２に接続され、グリップ要素６は、使用者Ｕによって自由に移動可能であり、使用者Ｕは、使用者の位置及び動きから実質的に独立した抵抗力Ｒを感じ取り、抵抗力Ｒは、負荷源１，２によって加えられ、使用者Ｕによって選択される力Ｆ，Ｆ１，Ｆ２に依存する。
【０１９１】
実施形態２：実施形態１に係る運動用マシン１００は、負荷源１，２が使用者の移動に対して抵抗Ｒを作るとともに、キャリッジ４を位置決めするように力Ｆ１、Ｆ２を加え、ケーブルａ，ｂの角度９は実質的に力Ｆ１、Ｆ２のみに依存し、キャリッジ４は使用者の動きに追従して角度９を一定に保ち、使用者Ｕは角度９に従って指向される抵抗力Ｒを感じ取って自由に動くことができる。
【０１９２】
実施形態３：医療又はリハビリの目的と同様に、使用者Ｕの運動機能、機能的能力及び筋力の発達に適した運動用マシンは、マシンフレームｆと、身体部分に適した形状のグリップ要素６と、該グリップ要素６に接続され、且つ、ウェイトスタック、抵抗要素、空気圧アクチュエータ又は電気アクチュエータのような負荷源１，２によって発生する抵抗負荷Ｆ，Ｆ１，Ｆ２を伝える１つ以上のケーブルａ，ｂとを含み、グリップ要素６に連結された２つのケーブルａ，ｂに作用する２つの抵抗負荷源１，２を備え、前記抵抗負荷源は、使用者の動きに抵抗するように、且つ、グリップ要素６で感じ取る抵抗力Ｒの角度を所望の値に保つように力Ｆ１，Ｆ２の力を出し、力Ｆ１，Ｆ２は、各ケーブル１０ａ，１０ｂの角度９ａ，９ｂに依存する。
【０１９３】
実施形態４：使用者の運動能力及び機能的能力、筋力の発達に適するとともに、医療又はリハビリ目的に適した運動用マシンは、マシンフレームｆと、身体部分に適した形状のグリップ要素６と、抵抗負荷をグリップ要素に伝達するために、ケーブルが巻き取り巻き戻されるスプールに直接的にか又はトルクを増大させるのに適した伝達システムを介して結合された電気モータを介して実施される負荷源を介して生成される抵抗負荷１，２を伝える１つ以上のケーブルａ，ｂとを備え、前記モータが、パンケーキモータ、ハブモータ、又は外部ロータモータのような非従来型のものであり、グリップ要素６に適用され、マシンによって認識可能な抵抗負荷及び特定の動きの形であるユーザジェスチャを生成するために使用され、抵抗力値を変化させることを含む機械挙動を制御するために作られたことを特徴とする電気モータの一般的な制御手段を含む。
【０１９４】
実施形態５：実施形態４の運動用マシンにおいて、負荷源として使用される電気モータは、トルクを増加させるように調整された遊星歯車と歯車軸に直接的に繋がるスプールとに結合された従来のモータであり、細長い空間に設置するのに適した細長い同軸設計をもたらす。
【０１９５】
実施形態６：使用者の運動能力及び機能的能力、筋力の発達に適するとともに、医療又はリハビリ目的に適した運動用マシンは、マシンフレームｆと、身体部分に適した形状のグリップ要素６とを備え、各グリップ要素は、電気的に制御されるのに適した負荷源を介して生成される抵抗負荷を伝える１つ以上のケーブルａ，ｂに結合されており、グリップ要素６の少なくとも１つは、ユーザ動作と、視覚的、音響的又は触覚的フィードバック手段を介した、グリップ要素自体に配置されたこれらの手段の一部又は全部とによって抵抗負荷Ｆを作動、停止、及び変更するのに適した従来の制御手段を介してマシンに接続される入力装置及びユーザインターフェースとして機能することを特徴とする。
【０１９６】
実施形態７：実施形態６の運動用マシンにおいて、グリップ要素６の少なくとも１つは、心拍数、血中酸素濃度及びグリップ要素動作データなどの使用者の生体測定データを測定するのに適したセンサも含む。
【０１９７】
実施形態８：使用者の運動能力及び機能的能力、筋力の発達に適するとともに、医療又はリハビリ目的に適した運動用マシンは、マシンフレームｆと、身体部分Ｕに適した形状のグリップ要素６とを備え、各グリップ要素は、ウェイトスタック、抵抗要素、空気圧アクチュエータ又は電気アクチュエータのような力を加えるのに適した負荷源を介して生成される抵抗負荷を伝える１つ以上のケーブルａ，ｂに結合されており、安全システムは、マシンフレームｆの下に位置するとともにマシン全体を地面ｇ上で完全に支持する複数の力センサ１５によってマシンの不安定性を認識し、各力センサは、正常で安定した動作においてゼロより大きい力を測定し、少なくとも１つの力センサ１５は、マシンの初期の不安定性又は転倒の場合にゼロに近い力を測定し、その測定値は、使用者Ｕに警告するか、抵抗負荷源を調整するために使用されることを特徴とする。
【０１９８】
実施形態９：実施形態１〜３、５、７、８の運動用マシンにおいて、
少なくとも１つのレール３が結合され、且つ、ケーブルａ，ｂをグリップ要素６に導くのに適した伝達手段５を収容する前記レールに沿って摺動するキャリッジ４を支持するマシンフレームｆと、
マシンへの入力装置及びユーザーインターフェースとして機能し、各ケーブルａ，ｂにそれぞれ接続されたグリップ要素６ａ，６ｂの少なくとも１つと、
抵抗負荷Ｆを発生させるとともに使用者が機械挙動及び抵抗負荷の大きさ及び方向を制御するジェスチャを読み取るのに適した電気モータとしての負荷源１，２と、
機械の不安定性を検出し、使用者に警告するか、或いは抵抗負荷源１，２を規制するのに適した安全システム１５とを含むことを特徴とする。
【０１９９】
本発明の分野及び範囲から逸脱することなく、これまでに説明したように、運動用マシン１００に部品の変更及び／又は追加を行うことができることは明らかである。
【０２００】
本発明を特定の例を参照して説明してきたが、当業者は、特許請求の範囲に記載された特性を有する運動用マシン１００を含む多くの他の同等の形態を確実に達成することができ、それによるすべてが保護領域内に入る。
【図１】
2019511947.tif 000003
【図２】
2019511947.tif 000004
【図３】
2019511947.tif 000005
【図４】
2019511947.tif 000006
【図５】
2019511947.tif 000007
【図６】
2019511947.tif 000008
【図７】
2019511947.tif 000009
【図８】
2019511947.tif 000010
【図９】
2019511947.tif 000011
【図１０】
2019511947.tif 000012
【図１１】
2019511947.tif 000013
【図１２】
2019511947.tif 000014
【図１３】
2019511947.tif 000015
【図１４】
2019511947.tif 000016
【図１５】
2019511947.tif 000017
【図１６】
2019511947.tif 000018
【図１７】
2019511947.tif 000019
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
体操運動用マシンであって、
スライドレール（３）と、
前記スライドレール（３）に摺動可能に取り付けられたキャリッジ（４）と、
前記キャリッジ（４）に設けられ、それぞれの回転軸を中心に空転可能な第１プーリ（２１）及び第２プーリ（２２）と、
グリップ要素（６）と、
別個の接続端部（１７）が前記グリップ要素（６）にそれぞれ接続された第１ケーブルブランチ（ａ）及び第２ケーブルブランチ（ｂ）を有するケーブル牽引手段（１６）と、
前記第１ケーブルブランチ（ａ）及び前記第２ケーブルブランチ（ｂ）が前記第１プーリ（２１）及び前記第２プーリ（２２）の周りに少なくとも部分的に巻き掛けられ、前記グリップ要素（６）と前記第１プーリ（２１）及び前記第２プーリ（２２）のそれぞれとの間に画定された第１戻りセグメント（２３）、及び、一方が前記キャリッジ（４）の第１側（２５）に延びる一方、他方が前記キャリッジ（４）の前記第１側（２５）とは反対側の第２側（２６）に延び、且つ、実質的に前記スライドレール（３）に平行な第２戻りセグメント（２４）とを含み、
第１負荷源（１）及び第２負荷源（２）は、前記第１ケーブルブランチ（ａ）及び前記第２ケーブルブランチ（ｂ）の前記各第２戻りセグメント（２４）にそれぞれ関連付けられ、前記負荷源（１，２）は、使用者（Ｕ）が前記グリップ要素（６）で牽引する間に前記グリップ要素で感じ取る一定の強度及び方向の抵抗力（Ｒ）を生成するように構成され、前記第１負荷源（１）及び前記第２負荷源（２）は、前記第１ケーブルブランチ（ａ）及び前記第２ケーブルブランチ（ｂ）において、前記使用者（Ｕ）により加えられる力に抗する力を生成するのに適した第１モータ（３６）及び第２モータ（３７）をそれぞれ備え、前記第１モータ（３６）及び前記第２モータ（３７）には、前記第１モータ（３６）及び前記第２モータ（３７）が前記第１ケーブルブランチ（ａ）及び前記第２ケーブルブランチ（ｂ）の動きに抗することができる力を制御するための制御装置（３８）がそれぞれ付いていることを特徴とする体操運動用マシン。
【請求項２】
請求項１に記載のマシンにおいて、
前記制御装置（３８）は、制御指令ユニット（３９）に接続され、前記第１モータ（３６）及び前記第２モータ（３７）の駆動を調整し、前記第１ケーブルブランチ（ａ）と前記第２ケーブルブランチ（ｂ）とに付与される第１力（Ｆ１）及び第２力（Ｆ２）の実体を決定するように構成されていることを特徴とするマシン。
【請求項３】
請求項２に記載のマシンにおいて、
前記制御指令ユニット（３９）に接続され、使用者（Ｕ）が対話により運動の特定の実行モードを指示可能なインターフェース装置（４０）を備え、前記インターフェース装置（４０）によって出力される命令は、前記第１モータ（３６）及び前記第２モータ（３７）の駆動モードを決定するよう構成されていることを特徴とするマシン。
【請求項４】
請求項３に記載のマシンにおいて、
前記インターフェース装置（４０）は、前記グリップ要素（６）に関連付けられていることを特徴とするマシン。
【請求項５】
請求項２から４のいずれか１つのマシンにおいて、
前記制御指令ユニット（３９）は、前記第１ケーブルブランチ（ａ）及び前記第２ケーブルブランチ（ｂ）に作用するそれぞれの応力に対応するデータを検出器から受信し、前記データを処理し、前記使用者（Ｕ）によって行われたジェスチャを識別し、前記ジェスチャと前記制御指令ユニット（３９）に記憶された所定の動作パターンとを比較するように構成され、前記マシンの特定の機能命令が、予め決められた各動作パターンに関連付けられることを特徴とするマシン。
【請求項６】
請求項１から５のいずれか１つのマシンにおいて、
前記スライドレール（３）に沿った前記キャリッジ（４）の位置又は前記第２戻りセグメント（２４）に対する前記第１戻りセグメント（２３）の角度のうちの少なくとも１つを検出するように構成された検出装置（４１）を含むことを特徴とするマシン。
【請求項７】
請求項１から６のいずれか１つに記載のマシンにおいて、
前記第１ケーブルブランチ（ａ）と前記第２ケーブルブランチ（ｂ）とは、互いに一体に接続されていることを特徴とするマシン。
【請求項８】
請求項１から７のいずれか１つに記載のマシンにおいて、
前記スライドレール（３）は、マシンフレーム（ｆ）に対して、前記スライドレール（３）の長手方向延長部に平行な回転軸（Ｘ）周りに回転可能であることを特徴とするマシン。
【請求項９】
請求項１から８のいずれか１つに記載のマシンにおいて、
前記スライドレール（３）は、前記スライドレール（３）の長手方向の展開に直交する第２回転軸（Ｙ）周りにおいて選択的に回転可能であることを特徴とするマシン。
【請求項１０】
請求項１から９のいずれか１つに記載のマシンにおいて、
前記使用者（Ｕ）を支持するように構成されたプラットフォーム（ｐ）を有するマシンフレーム（ｆ）と、
前記プラットフォーム（ｐ）に関連付けられ、前記プラットフォーム（ｐ）上の前記使用者（Ｕ）の重量を検出するように構成されたセンサ（１５ａ、１５ｂ、１５ｃ、１５ｄ）と、
前記センサ（１５ａ、１５ｂ、１５ｃ、１５ｄ）に接続され、検出された重量データを処理し、検出されたデータの少なくとも１つが設定閾値を下回るときには常に警報信号を出力するように構成された警報システムとを備えていることを特徴とするマシン。
【国際調査報告】
2019511947.tif 000020
2019511947.tif 000021
2019511947.tif 000022
2019511947.tif 000023